(57)【要約】【課題】ひし形金網を有するネットフェンスの施工を容易化する。【解決手段】ネットフェンス１は、一対の支柱２と、一対の支柱２の間に掛け渡され、上下方向に離間して設けられた一対の胴縁３，４と、上端及び下端が前記一対の胴縁３，４に取り付けられ、ジグザグ状に屈曲しながら胴縁３，４の延在方向に延びる複数の列線５ａの屈曲部５ａ１同士を、支柱２の延在方向に互いに係合させてなるひし形金網５とを備える。上側の胴縁３が、ひし形金網５のフェンス厚さ方向両側において、支柱２により下方から支持されている。【選択図】図９
2018188876.tif 000002
【特許請求の範囲】
【請求項１】
一対の支柱と、前記一対の支柱の間に掛け渡され、上下方向に離間して設けられた一対の胴縁と、上端及び下端が前記一対の胴縁に取り付けられ、ジグザグ状に屈曲しながら前記胴縁の延在方向に延びる複数の列線の屈曲部同士を、前記支柱の延在方向に互いに係合させてなるひし形金網とを備えたネットフェンスであって、
前記ひし形金網の上端に取り付けられた上側の胴縁が、前記ひし形金網の厚さ方向両側において、前記支柱により下方から支持されたネットフェンス。
【請求項２】
前記支柱が、前記厚さ方向で対向する一対の側面部を有し、前記支柱の一対の胴縁の間に、前記上側の胴縁の端部が嵌まり込んだ請求項１に記載のネットフェンス。
【請求項３】
前記ひし形金網の網目の前記胴縁の延在方向のピッチが、前記支柱の延在方向のピッチよりも小さい請求項１又は２に記載のネットフェンス。
【請求項４】
前記ひし形金網のうち、前記一対の支柱と前記一対の胴縁とで囲まれた領域に、前記胴縁の延在方向に直線状に延びる張線が設けられていない請求項１〜３の何れか１項に記載のネットフェンス。
【請求項５】
ジグザグ状に屈曲しながら所定方向に延びる複数の列線の屈曲部同士を互いに係合させてなるひし形金網を形成する工程と、前記ひし形金網の両端の列線に、各列線の延在方向に延びる一対の胴縁を取り付ける工程と、前記ひし形金網を平面状に展開しながら、一対の支柱の上部に、前記ひし形金網の上端に取り付けられた上側の胴縁を仮置きする工程と、前記一対の胴縁の両端を前記一対の支柱に固定する工程とを備えたネットフェンスの製造方法であって、
前記上側の胴縁のうち、前記ひし形金網の厚さ方向両側を、前記支柱により下方から支持することにより、前記上側の胴縁を前記一対の支柱の上部に仮置きするネットフェンスの製造方法。
【発明の詳細な説明】
【技術分野】
【０００１】
本発明は、ひし形金網を有するネットフェンス及びその製造方法に関する。
【背景技術】
【０００２】
ネットフェンスは、安全や防犯等を目的として建物や公園等に設けられる。ネットフェンスとしては、ジグザグ状に屈曲させた複数の列線の屈曲部同士を互いに係合させてなる、いわゆるひし形金網を用いたものが広く知られている。
【０００３】
ネットフェンスに用いられるひし形金網は、通常、各列線の延在方向（以下、この方向を、ひし形金網の「幅方向」と言う。）が上下方向となるように設けられる。この場合、ひし形金網の幅方向両端に張線を挿通し、上下の胴縁に設けられた爪に張線を引っ掛けることで、ひし形金網が胴縁に取り付けられる（下記の特許文献１参照）。しかし、このような作業は容易ではなく、施工に手間がかかるという問題がある。
【０００４】
これに対し、下記の特許文献２では、ひし形金網の幅方向を水平方向としたネットフェンスが示されている。この場合、ひし形金網の、幅方向と直交する方向（以下、この方向を「長手方向」と言う。）の両端に胴縁が取り付けられる。ひし形金網は、長手方向で伸縮可能であるため、ひし形金網の長手方向両端に予め胴縁を取り付けて、輸送時や保管時には、ひし形金網を上下に縮めることで省スペース化を図ることができる。そして、施工時には、ひし形金網を長手方向に引き延ばして平面状に展開し、このパネルの一方の胴縁を、地面に立設された一対の支柱の上部に仮置きする。この状態で、一対の胴縁を、それぞれ支柱の所定位置にボルト等で固定することで、ネットフェンスが組み立てられる。この場合、施工現場で、ひし形金網に張線を挿通する作業や、張線を胴縁の爪に引っ掛ける作業が不要になるため、施工が容易になる。
【先行技術文献】
【特許文献】
【０００５】
【特許文献１】特開２００７−９８４２６号公報
【特許文献２】特開２０１５−１０３７２号公報
【特許文献３】特開平１１−１１４６４７号公報
【発明の概要】
【発明が解決しようとする課題】
【０００６】
上記の特許文献２に示されているネットフェンスでは、図１４に示すように、上側の胴縁２０１のフランジ２０１ａと、ひし形金網２０２の上端に挿通された補強材２０３との間に、支柱２０４のフランジ２０４ａの上端を挿入することで、上側の胴縁２０１を支柱２０４に仮置きしている。しかし、このような仮置き作業は手間がかかると共に、上側の胴縁２０１の支持状態が不安定であるため、作業性が悪化する。
【０００７】
そこで、本発明は、ひし形金網を有するネットフェンスの施工をさらに容易化することを目的とする。
【課題を解決するための手段】
【０００８】
前記課題を解決するために、本発明は、一対の支柱と、前記一対の支柱の間に掛け渡され、上下方向に離間して設けられた一対の胴縁と、上端及び下端が前記一対の胴縁に取り付けられ、ジグザグ状に屈曲しながら前記胴縁の延在方向に延びる複数の列線の屈曲部同士を、前記支柱の延在方向に互いに係合させてなるひし形金網とを備えたネットフェンスであって、前記ひし形金網の上端に取り付けられた上側の胴縁が、前記ひし形金網の厚さ方向両側において、前記支柱により下方から支持されたネットフェンスを提供する。
【０００９】
上記のように、上側の胴縁が、ひし形金網の厚さ方向両側において、一対の支柱で下方から支持されることにより、ひし形金網の上端が取り付けられた上側の胴縁を、一対の支柱の上に安定した状態で仮置きすることができる。この場合、上側の胴縁を支柱の支持部の上に載置するだけで仮置きができるため、上記の特許文献２のように、胴縁のフランジと補強材との間に支柱のフランジを挿入する作業が不要となり、施工が容易化される。
【００１０】
上記のネットフェンスは、前記支柱が、前記厚さ方向で対向する一対の側面部を有し、前記支柱の一対の胴縁の間に、前記上側の胴縁の端部が嵌まり込んだ構成とすることができる。この場合、上側の胴縁を、支柱の一対の側面部の間に嵌め込みながら支柱の上に載置することができるため、より一層安定した状態で支柱に仮置きすることができる。
【００１１】
ところで、ひし形金網を用いたネットフェンスでは、人（特に子供）が網目に足を入れて上ってしまうことがある。例えば、ひし形金網の網目を細かくすれば、人の足が入りにくくなるが、この場合、列線の使用量が増えるため、コストが増大する。そこで、ひし形金網の網目の胴縁延在方向（横方向）のピッチを、支柱延在方向（縦方向）のピッチよりも小さくし、網目を縦長にすれば、列線の使用量を抑えながら、網目に人の足が入りにくくなる。
【００１２】
このとき、従来のひし形金網では、列線が縦方向に延びているため、網目を縦長にすると、列線の屈曲部のピッチが広がる。図１５に示すように、列線１１０は、ジラス１０１及びヘラ１０２を用いてジグザグ状に屈曲される（上記の特許文献３参照）。この場合、列線１１０の屈曲部のピッチが広がると、ヘラ１０２に巻き付けられる列線１１０の巻き付け回数が減るため、列線１１０がヘラ１０２の先端側（図中矢印方向）に送り出されにくくなり、列線１１０の成形に支障を来たすおそれがある。例えば、ジラス１０１及びヘラ１０２を長くすれば、ピッチの広い列線１１０を成形することができるが、この場合、成形装置全体の構造を変更する必要が生じるため、コストがかかる。
【００１３】
これに対し、上記のひし形金網では、列線が横方向に延びているため、列線の屈曲部のピッチは、網目の横方向のピッチと等しくなる。従って、上記のように、網目の横方向のピッチを小さくすることで、各列線の屈曲部のピッチが小さくなるため、既存の設備（ジラス及びヘラ）を用いて列線をジグザグ状に成形して、縦長の網目を有するひし形金網を得ることができる。
【００１４】
従来のネットフェンスでは、ひし形金網を補強するために、ひし形金網の縦方向中間部に、横方向に直線状に延びる張線が設けられる。これに対し、本発明のネットフェンスでは、ひし形金網の列線が横方向に延びているため、各列線が横方向の張線のような役割を果たすことができる。これにより、ひし形金網（特に、胴縁及び支柱で囲まれた領域）に、横方向に直線状に延びる張線を設けなくて済むため、コスト低減が図られると共に、外観が改善される。
【発明の効果】
【００１５】
以上のように、本発明によれば、上側の胴縁を支柱に仮置きする際の作業性が向上するため、ネットフェンスの施工が容易化される。
【図面の簡単な説明】
【００１６】
【図１】ネットフェンスの正面図である。
【図２】（Ａ）は、支柱をフェンス厚さ方向から見た正面図、（Ｂ）は、支柱を（Ａ）図のＢ方向から見た側面図、（Ｃ）は、支柱を（Ａ）図のＣ方向から見た平面図である。
【図３】上胴縁の斜視図である。
【図４】支柱と上胴縁との結合部の正面図である。
【図５】下胴縁の斜視図である。
【図６】支柱と下胴縁との結合部の正面図である。
【図７】図１のＡ部の拡大図である。
【図８】図１のＢ部の拡大図であり、支柱の一部を切り欠いて示す。
【図９】（Ａ）は、図１のＣ−Ｃ断面図であり、（Ｂ）は、（Ａ）図のＢ−Ｂ断面図である。
【図１０】図１のＤ−Ｄ断面図である。
【図１１】（Ａ）はひし形金網の正面図、（Ｂ）は伸縮パネルの正面図、（Ｃ）は伸縮パネルを縮めた状態の正面図である。
【図１２】複数のネットフェンスを連結した状態を示す正面図である。
【図１３】（Ａ）は、他の実施形態に係るネットフェンスの断面図（図１のＣ−Ｃ断面に相当）であり、（Ｂ）は、（Ａ）図のＢ−Ｂ断面図である。
【図１４】従来のネットフェンスの斜視図である。
【図１５】列線の屈曲成形方法を示す平面図である。
【発明を実施するための形態】
【００１７】
以下、本発明の実施の形態を図面に基づいて説明する。
【００１８】
本実施形態に係るネットフェンス１は、図１に示すように、設置面（地面や床面）に立設された一対の支柱２，２と、両端が支柱２，２に取り付けられ、上下方向に離間して設けられた上側の胴縁（以下、上胴縁３）及び下側の胴縁（以下、下胴縁４）と、支柱２，２及び胴縁３，４に取り付けられたひし形金網５とを備える。尚、以下の説明では、支柱２と平行な方向を「縦方向」、胴縁３，４と平行な方向を「横方向」、支柱２及び胴縁３，４と直交する方向（ひし形金網５の厚さ方向）を「フェンス厚さ方向」と言う。図示例では、縦方向が鉛直方向であり、横方向が水平方向である。
【００１９】
支柱２は、図２に示すように、上下方向に延びる角筒状を成している。具体的に、支柱２は、フェンス厚さ方向に対向する一対の側面部２ｃと、一対の側面部２ｃの横方向内側（ネットフェンス１の横方向中央側）の端部からフェンス厚さ方向内側に延びる一対の内面部２ａと、一対の側面部２ｃの横方向外側の端部同士を連結する外面部２ｂとを備える。一対の内面部２ａの間には、縦方向に延びる開口部２ａ１が設けられる。各支柱２の上部には、上胴縁３を下方から支持する支持部が設けられる。図示例では、一対の内面部２ａの上端２ａ２が、支柱２の他の部分（外面部２ｂ及び側面部２ｃ）の上端よりも下方に設けられ、この一対の内面部２ａの上端２ａ２が支持部となる。支柱２の側面部２ｃには、胴縁３を固定するための固定穴２ｃ１と、ひし形金網５の横方向端部を固定するための固定穴２ｃ２（図８参照）とが設けられる。
【００２０】
上胴縁３は、図３に示すように、水平方向に延びる角筒状を成している。具体的に、上胴縁３は、フェンス厚さ方向に対向する一対の側面部３ｃと、一対の側面部３ｃの下端からフェンス厚さ方向内側に延びる一対の底面部３ａと、一対の側面部３ｃの上端同士を連結する上面部３ｂとを備える。一対の底面部３ａの間には、横方向に延びる開口部３ａ１が設けられる。上胴縁３の上面部３ｂは、穴の無い平板状を成している。上胴縁３の側面部３ｃには、支柱２と固定するための固定穴３ｃ１が設けられる。図４に示すように、上胴縁３の底面部３ａが支柱２の内面部２ａの上端２ａ２で下方から支持された状態で、上胴縁３の側面部３ｃの固定穴３ｃ１と支柱２の側面部２ｃの固定穴２ｃ１とがボルト７で固定される。
【００２１】
下胴縁４は、図５に示すように、水平方向に延びる角筒状を成し、おおよそ上胴縁３を上下反転させた構成を有している。具体的に、下胴縁４は、フェンス厚さ方向に対向する一対の側面部４ｃと、一対の側面部４ｃの上端からフェンス厚さ方向内側に延びる一対の上面部４ａと、一対の側面部４ｃの下端同士を連結する底面部４ｂとを備える。一対の上面部４ａの間には、横方向に延びる開口部４ａ１が設けられる。下胴縁４の底面部４ｂには、横方向に離間した複数箇所に設けられた水抜き穴４ｂ１と、横方向端部付近に設けられた固定穴４ｂ２とが設けられる。下胴縁４の側面部４ｃは、穴の無い平板状を成している。下胴縁４の横方向の寸法は、上胴縁３よりも若干短く、一対の支柱２の間隔よりも僅かに小さい。図６に示すように、下胴縁４の底面部４ｂがＬ字金具８の水平部８ａに固定され、支柱２の内面部２ａがＬ字金具８の垂直部８ｂに固定される。これにより、下胴縁４の端部が、Ｌ字金具８を介して支柱２に固定される。
【００２２】
ひし形金網５は、図７に示すように、ジグザグ状に屈曲しながら横方向に延びる複数の列線５ａで構成される。各列線５ａの屈曲部５ａ１は、隣接する列線５ａの屈曲部５ａ１と縦方向に係合している。ひし形金網５の横方向両端部では、図８に示すように、隣接する列線５ａの端部が、互いに交差した状態で略１８０°折り返され、これにより列線５ａの端部同士の結合部Ｐが形成される（このような結合部Ｐを「完全ナックル」と言う）。このように、隣接する列線５ａの端部同士を結合することで、施工時等にひし形金網５を伸縮させる際に列線５ａ同士が外れることがなく、扱いやすい。
【００２３】
図７に示すように、ひし形金網５の網目の横方向のピッチＬ１は、縦方向のピッチＬ２よりも短い。具体的には、網目の横方向のピッチＬ１と縦方向のピッチＬ２との比Ｌ２／Ｌ１が１．５以上、好ましくは２以上とされる。このように、網目の横方向のピッチＬ１を小さくして網目を縦長形状にすることで、人の足が入りにくくなり、人がネットフェンスに上ることを防止できる。このとき、網目の横方向のピッチＬ１及び縦方向のピッチＬ２を共に小さくすると、列線５ａの使用量が増えて、コスト及び重量が増大するため、横方向のピッチＬ１を小さくすると同時に、縦方向のピッチＬ２を大きくすることが好ましい。本実施形態では、各列線５ａが横方向に延びているため、各列線５ａの屈曲部５ａ１のピッチ（山−山間あるいは谷−谷間のピッチ）は、網目の横方向のピッチＬ１と等しい。従って、上記のようにひし形金網５の網目の縦方向のピッチＬ２を大きくした場合でも、各列線５ａの屈曲部５ａ１のピッチは小さいため、既存の装置を用いて列線５ａを屈曲成形することができる。
【００２４】
ひし形金網５の上端には、係合部材を介して上胴縁３が取り付けられる。係合部材としては、例えば図９（Ａ）（Ｂ）に示すようなコイル６が用いられる。コイル６は、螺旋状に巻回した鋼線からなる。コイル６のピッチは、ひし形金網５の列線５ａの屈曲部５ａ１のピッチと等しい。コイル６のフェンス厚さ方向の幅は、上胴縁３の開口部３ａ１の幅よりも大きい。コイル６が、ひし形金網５の上端の列線５ａの屈曲部５ａ１に挿通されると共に、上胴縁３の底面部３ａと上下方向で係合することで、ひし形金網５がコイル６を介して上胴縁３に吊り下げ保持される。
【００２５】
ひし形金網５の下端には、係合部材を介して下胴縁４が取り付けられる。本実施形態では、ひし形金網５の下端と下胴縁４とが、係合部材としてのコイル６を介して取り付けられる（図１０参照）。ひし形金網５の下端と下胴縁４との取り付け構造の詳細は、図９（Ａ）（Ｂ）に示すひし形金網５の上端と上胴縁３との取付構造と同様であるため、説明を省略する。
【００２６】
ひし形金網５の横方向両端は、支柱２に取り付けられる。本実施形態では、図８に示すように、ひし形金網５の横方向両端に設けられた列線５ａの端部同士の結合部Ｐ（完全ナックル）が、支柱２の内部に収容されている。そして、支柱２の上下方向中間部にフェンス厚さ方向にボルト７が挿通され、このボルト７が列線５ａの端部同士の結合部Ｐの横方向内側に配される。このボルト７と結合部Ｐとが横方向に係合することで、ひし形金網の横方向両端が支柱２に固定される。
【００２７】
次に、ネットフェンス１の製造方法（施工方法）を説明する。
【００２８】
まず、金網製造工場において、図１１（Ａ）に示すように、所定の幅方向寸法及び長手方向寸法を有するひし形金網５を形成する。ひし形金網５は、網目の幅方向寸法Ｌ１が長手方向寸法Ｌ２よりも小さい（図７参照）。この場合、各列線５ａのピッチが小さくなるため、既存の装置を用いて、縦長の網目を有するひし形金網５を成形することができる。また、この装置により、ひし形金網５の幅方向両端に、列線５ａ同士の結合部Ｐ（図８参照）が形成される。
【００２９】
次に、図１１（Ｂ）に示すように、ひし形金網５の長手方向両端に上胴縁３及び下胴縁４を取り付けて、伸縮パネル１０を形成する。具体的には、図９及び図１０に示すように、ひし形金網５の長手方向両端の列線５ａの屈曲部５ａ１にコイル６を挿通し、各コイル６を上胴縁３及び下胴縁４の内周に挿入することで、ひし形金網５の長手方向両端に上胴縁３及び下胴縁４が取り付けられる。
【００３０】
本実施形態では、ひし形金網５の幅方向（列線５ａの延在方向）と、胴縁３，４の延在方向とが平行であるため、図１１（Ｃ）に示すように、ひし形金網５を長手方向に縮めながら胴縁３，４を接近させて、伸縮パネル１０をコンパクトに収納することができる。これにより、伸縮パネル１０の輸送時や保管時のスペースが縮小されるため、輸送コスト及び保管コストを低減することができる。
【００３１】
次に、施工現場において、設置面に複数の支柱２を立設する。本実施形態では、図１２に示すように、複数のネットフェンス１が横方向に連結して使用される。この場合、複数のネットフェンス１の連結部に設けられる支柱２は、図２（Ｃ）に点線で示すように、外面部２ｂ同士がリベット等により結合される。複数のネットフェンス１の両端に設けられる支柱２は、単体で使用される。
【００３２】
そして、伸縮パネル１０を上下に引き延ばして展開しながら、上胴縁３を一対の支柱２の上部に仮置きする。具体的には、図９（Ａ）に示すように、支柱２の一対の側面部２ｃの間に上胴縁３の端部を嵌め込みながら、支柱２の内面部２ａの上端２ａ２（支持部）の上に上胴縁３の底面部３ａを載置する。このとき、上胴縁３のうち、ひし形金網５のフェンス厚さ方向両側に設けられた底面部３ａが、支柱２の内面部２ａの上端２ａ２で支持されるため、上胴縁３が安定した状態で支持される。特に、図示例では、上胴縁３が、支柱２の側面部２ｃの間に嵌まり込むことで、上胴縁３がフェンス厚さ方向で位置決めされるため、上胴縁３がより一層安定した状態で支持される。このように、本実施形態では、上胴縁３を、一対の支柱２の上部に載置するだけで、伸縮パネルを一対の支柱２に容易かつ安定的に仮置きすることができる。
【００３３】
こうして上胴縁３を支柱２の上部に仮置きした状態で、上胴縁３を支柱２の上部にボルト７で固定する（図４参照）。その後、下胴縁４を、Ｌ字金具８を介して、支柱２の下部にボルト７で固定する（図６及び図１０参照）。このとき、下胴縁４を下方に引き下げて、ひし形金網５を下方に引っ張った状態で、下胴縁４を支柱２に固定することで、ひし形金網５をきれいに張ることができる。
【００３４】
その後、支柱２の内部に挿入されたひし形金網５の横方向両端部を、支柱２に固定する。本実施形態では、図８に示すように、支柱２をフェンス厚さ方向に貫通するボルト７を設け、このボルト７と、ひし形金網５の列線５ａの端部同士の結合部Ｐ（完全ナックル）とを横方向で係合させることで、ひし形金網５の横方向端部が支柱２に固定される。以上により、ネットフェンス１が完成する。
【００３５】
本発明は上記の実施形態に限られない。例えば、ひし形金網５の上端と上胴縁３とを結合する係合部材は、上記のコイル６に限られない。例えば、係合部材として、図１３（Ａ）（Ｂ）に示すように、横方向に延びる棒材１１と、横方向複数箇所に設けられたボルト１２とを用いることができる。棒材１１は、ひし形金網５の上端の列線５ａに挿通され、この列線５ａを下方から支持する。ボルト１２は、上胴縁３をフェンス厚さ方向に貫通し、棒材１１を下方から支持する。これにより、ひし形金網５の上端が、棒材１１及びボルト１２を介して、上胴縁３に取り付けられる。
【００３６】
また、上記の実施形態では、ひし形金網５の網目が縦長形状である場合を示したが、これに限らず、例えば、各編目を略正方形としてもよい。
【符号の説明】
【００３７】
１     ネットフェンス
２     支柱
２ａ   内面部
２ａ２ 上端（支持部）
３     上側の胴縁（上胴縁）
４     下側の胴縁（下胴縁）
５     ひし形金網
５ａ   列線
６     コイル（係合部材）
【図１】
2018188876.tif 000003
【図２】
2018188876.tif 000004
【図３】
2018188876.tif 000005
【図４】
2018188876.tif 000006
【図５】
2018188876.tif 000007
【図６】
2018188876.tif 000008
【図７】
2018188876.tif 000009
【図８】
2018188876.tif 000010
【図９】
2018188876.tif 000011
【図１０】
2018188876.tif 000012
【図１１】
2018188876.tif 000013
【図１２】
2018188876.tif 000014
【図１３】
2018188876.tif 000015
【図１４】
2018188876.tif 000016
【図１５】
2018188876.tif 000017
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
一対の支柱と、前記一対の支柱の間に掛け渡され、上下方向に離間して設けられた一対の胴縁と、上端及び下端が前記一対の胴縁に取り付けられ、ジグザグ状に屈曲しながら前記胴縁の延在方向に延びる複数の列線の屈曲部同士を、前記支柱の延在方向に互いに係合させてなるひし形金網とを備えたネットフェンスであって、
前記ひし形金網の上端に取り付けられた上側の胴縁が、前記ひし形金網の厚さ方向両側において、前記支柱により下方から支持され、
前記ひし形金網の下端に取り付けられた下側の胴縁の長さが前記上側の胴縁よりも短く、前記上側の胴縁の両端が前記下側の胴縁よりも外側に配されたネットフェンス。
【請求項２】
前記支柱が、前記厚さ方向で対向する一対の側面部を有し、前記支柱の一対の胴縁の間に、前記上側の胴縁の端部が嵌まり込んだ請求項１に記載のネットフェンス。
【請求項３】
前記ひし形金網の網目の前記胴縁の延在方向のピッチが、前記支柱の延在方向のピッチよりも小さい請求項１又は２に記載のネットフェンス。
【請求項４】
前記ひし形金網のうち、前記一対の支柱と前記一対の胴縁とで囲まれた領域に、前記胴縁の延在方向に直線状に延びる張線が設けられていない請求項１〜３の何れか１項に記載のネットフェンス。
【請求項５】
ジグザグ状に屈曲しながら所定方向に延びる複数の列線の屈曲部同士を互いに係合させてなるひし形金網を形成する工程と、前記ひし形金網の両端の列線に、各列線の延在方向に延びる一対の胴縁を取り付ける工程と、前記ひし形金網を平面状に展開しながら、一対の支柱の上部に、前記ひし形金網の上端に取り付けられた上側の胴縁を仮置きする工程と、前記一対の胴縁の両端を前記一対の支柱に固定する工程とを備えたネットフェンスの製造方法であって、
前記ひし形金網の下端に取り付けられた下側の胴縁の長さが前記上側の胴縁よりも短く、前記上側の胴縁の両端が前記下側の胴縁よりも外側に配され、
前記上側の胴縁のうち、前記ひし形金網の厚さ方向両側を、前記支柱により下方から支持することにより、前記上側の胴縁を前記一対の支柱の上部に仮置きするネットフェンスの製造方法。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
一対の支柱と、前記一対の支柱の間に掛け渡され、上下方向に離間して設けられた一対の胴縁と、上端及び下端が前記一対の胴縁に取り付けられ、ジグザグ状に屈曲しながら前記胴縁の延在方向に延びる複数の列線の屈曲部同士を、前記支柱の延在方向に互いに係合させてなるひし形金網とを備えたネットフェンスであって、
前記ひし形金網の上端に取り付けられた上側の胴縁が、前記ひし形金網の厚さ方向両側において、前記支柱により下方から支持され、
前記ひし形金網の下端に取り付けられた下側の胴縁の長さが前記上側の胴縁よりも短く、前記上側の胴縁の両端が前記下側の胴縁よりも外側に配され、
前記一対の支柱が、互いに対向する面に上下方向に延びる開口部を有する角筒状を成し、
前記ひし形金網を下方に引っ張った状態で、前記支柱の開口部に挿通されたボルトを介して、前記下側の胴縁と前記支柱とを上下方向で係合することなく固定し、
前記ひし形金網の列線の端部同士の結合部が、前記支柱の開口部に挿入されて前記支柱の内部に収容されたネットフェンス。
【請求項２】
前記支柱が、前記厚さ方向で対向する一対の側面部を有し、前記支柱の一対の胴縁の間に、前記上側の胴縁の端部が嵌まり込んだ請求項１に記載のネットフェンス。
【請求項３】
前記ひし形金網の網目の前記胴縁の延在方向のピッチが、前記支柱の延在方向のピッチよりも小さい請求項１又は２に記載のネットフェンス。
【請求項４】
前記ひし形金網のうち、前記一対の支柱と前記一対の胴縁とで囲まれた領域に、前記胴縁の延在方向に直線状に延びる張線が設けられていない請求項１〜３の何れか１項に記載のネットフェンス。
【請求項５】
ジグザグ状に屈曲しながら所定方向に延びる複数の列線の屈曲部同士を互いに係合させてなるひし形金網を形成する工程と、前記ひし形金網の両端の列線に、各列線の延在方向に延びる一対の胴縁を取り付ける工程と、前記ひし形金網を平面状に展開しながら、一対の支柱の上部に、前記ひし形金網の上端に取り付けられた上側の胴縁を仮置きする工程と、前記一対の胴縁の両端を前記一対の支柱に固定する工程とを備えたネットフェンスの製造方法であって、
前記ひし形金網の下端に取り付けられた下側の胴縁の長さが前記上側の胴縁よりも短く、前記上側の胴縁の両端が前記下側の胴縁よりも外側に配され、
前記一対の支柱が、互いに対向する面に上下方向に延びる開口部を有する角筒状を成し、
前記上側の胴縁のうち、前記ひし形金網の厚さ方向両側を、前記支柱により下方から支持することにより、前記上側の胴縁を前記一対の支柱の上部に仮置きした後、
前記ひし形金網の列線の端部同士の結合部を前記支柱の開口部に挿入して前記支柱の内部に収容すると共に、前記ひし形金網を下方に引っ張った状態で、前記支柱の開口部に挿通されたボルトを介して、前記下側の胴縁と前記支柱とを上下方向で係合することなく固定するネットフェンスの製造方法。